(57)【要約】      （修正有）【課題】効率良く二酸化炭素を発生させ、蚊を誘引することが可能な害虫誘引装置を提供する。【解決手段】害虫誘引装置１０は、吸収放出部１２と制御部１４とを具備する。吸収放出部は、二酸化炭素の吸収及び放出が可能な吸収放出材料を含む。制御部は、吸収放出部に二酸化炭素を放出させる。吸収放出材料としては、リチウムシリケート（Ｌｉ４ＳｉＯ４）が利用可能である。また、害虫誘引装置は、吸収放出材から形成された導線を用いたコイルに電流を流すことで加熱し、二酸化炭素を放出することができる。【選択図】図１
2019110808.tif 000002
【特許請求の範囲】
【請求項１】
二酸化炭素の吸収及び放出が可能な吸収放出材料を含む吸収放出部と；
前記吸収放出部に二酸化炭素を放出させる制御部と；
を具備することを特徴とする害虫誘引装置。
【請求項２】
前記制御部は、予め設定された時間又は放出可能基準値に従って、前記吸収放出部に二酸化炭素を吸収させ、又は放出させることを特徴とする請求項１に記載の害虫誘引装置。
【請求項３】
前記制御部は、前記吸収放出材料が吸収している二酸化炭素の量が、予め設定した下限値を下回らないように、かつ、予め設定した上限値を超えないように、前記吸収放出部に二酸化炭素を吸収させ、又は放出させることを特徴とする請求項１又は２に記載の害虫誘引装置。
【請求項４】
前記制御部は、前記吸収放出部を加熱することで二酸化炭素を放出させることを特徴とする請求項１から３のいずれか１項に記載の害虫誘引装置。
【請求項５】
前記吸収放出材料は、金属複合酸化物であることを特徴とする請求項４に記載の害虫誘引装置。
【請求項６】
前記吸収放出部は、金属の層と金属酸化物の層と前記吸収放出材料の層とから形成された導線を用いたコイルを有し、
前記制御部は、前記コイルに電流を流すことで前記吸収放出部を加熱することを特徴とする請求項５に記載の害虫誘引装置。
【請求項７】
前記吸収放出部は、加えられた熱の一部を放出することで害虫の誘引作用を補足することを特徴とする請求項４から６のいずれか１項に記載の害虫誘引装置。
【請求項８】
所定の領域に人が存在することを検知する検知部；
をさらに具備し、
前記制御部は、前記検知部によって人が存在することが検知された場合、前記吸収放出部に二酸化炭素の放出を開始させることを特徴とする請求項１から７のいずれか１項に記載の害虫誘引装置。
【発明の詳細な説明】
【技術分野】
【０００１】
本発明の実施形態は、害虫誘引装置に関する。
【背景技術】
【０００２】
蚊は、人を刺し、かゆみを生じさせる。また、蚊は、ジカウィルス感染症やデング熱等の感染症を媒介する。このように、蚊は人にとって非常に有害な害虫である。そのため、蚊の捕獲及び駆除に関する技術が提案されている。
【０００３】
蚊の捕獲及び駆除を行うためには、まず蚊を誘引することが有効である。また、吸血性の蚊の雌は、吸血対象の人や動物の呼気に含まれる二酸化炭素を感知して向かって行くことが知られている。そこで、従来、二酸化炭素を発生させて蚊を誘引する方法が知られている。
【０００４】
例えば、固体酸、固体アルカリ及び潮解性物質の反応により二酸化炭素を発生させ、蚊を誘引する技術が知られている（例えば、特許文献１を参照）。また、例えば、可燃性のガスの燃焼により二酸化炭素を発生させ、蚊を誘引する技術が知られている（例えば、特許文献２を参照）。
【先行技術文献】
【特許文献】
【０００５】
【特許文献１】特開２００６−０６７９６６号公報
【特許文献２】特開２０１６−１８２１３１号公報
【発明の概要】
【発明が解決しようとする課題】
【０００６】
しかしながら、従来の技術には、効率良く二酸化炭素を発生させ、蚊を誘引することができない場合があるという問題がある。例えば、従来の技術では、害虫誘引装置を長期間運用する場合、定期的な反応物質の補充が必要になる場合がある。このような場合、反応物質を補充する手間が生じるため、効率良く二酸化炭素を発生させ、蚊を誘引することができない場合がある。
【０００７】
本発明は、効率良く二酸化炭素を発生させ、蚊を誘引することが可能な害虫誘引装置を提供することを目的とする。
【課題を解決するための手段】
【０００８】
本実施形態の害虫誘引装置は、吸収放出部と制御部とを具備する。吸収放出部は、二酸化炭素の吸収及び放出が可能な吸収放出材料を含む。制御部は、吸収放出部に二酸化炭素を放出させる。
【発明の効果】
【０００９】
本発明によれば、効率良く二酸化炭素を発生させ、蚊を誘引することが可能な害虫誘引装置を提供することができる。
【図面の簡単な説明】
【００１０】
【図１】図１は、実施形態に係る害虫誘引装置の構成例を示す図である。
【図２】図２は、実施形態に係るコイルの一例を示す図である。
【図３】図３は、実施形態に係る害虫誘引装置の処理手順を示すフローチャートである。
【図４】図４は、他の実施形態に係る害虫誘引装置の構成例を示す図である。
【発明を実施するための形態】
【００１１】
以下で説明する実施形態に係る害虫誘引装置は、吸収放出部と制御部とを具備する。吸収放出部は、二酸化炭素の吸収及び放出が可能な吸収放出材料を含む。制御部は、吸収放出部に二酸化炭素を放出させる。
【００１２】
また、以下で説明する実施形態に係る制御部は、予め設定された時間又は放出可能基準値に従って、吸収放出部に二酸化炭素を吸収させ、又は放出させる。
【００１３】
また、以下で説明する実施形態に係る制御部は、吸収放出材料が吸収している二酸化炭素の量が、予め設定した下限値を下回らないように、かつ、予め設定した上限値を超えないように、吸収放出部に二酸化炭素を吸収させ、又は放出させる。
【００１４】
また、以下で説明する実施形態に係る制御部は、吸収放出部を加熱することで二酸化炭素を放出させる。
【００１５】
また、以下で説明する実施形態に係る吸収放出材料は、金属複合酸化物である。
【００１６】
また、以下で説明する実施形態に係る吸収放出部は、金属の層と金属酸化物の層と吸収放出材料の層とから形成された導線を用いたコイルを有する。制御部は、コイルに電流を流すことで吸収放出部を加熱する。
【００１７】
また、以下で説明する実施形態に係る吸収放出部は、加えられた熱の一部を放出する。
【００１８】
また、以下で説明する実施形態に係る害虫誘引装置は、所定の領域に人が存在することを検知する検知部をさらに具備する。制御部は、検知部によって人が存在することが検知された場合、吸収放出部に二酸化炭素の放出を開始させる。
【００１９】
以下、図面を参照して、実施形態に係る害虫誘引装置を説明する。実施形態において同一の部位には同一の符号を付し、重複する説明は省略される。図１〜図４を用いて、実施形態に係る害虫誘引装置について説明する。
【００２０】
［害虫誘引装置の構成例］
図１は、実施形態に係る害虫誘引装置の構成例を示す図である。図１に示すように、害虫誘引装置１０は、容器１１、吸収放出部１２、電源１３、制御部１４及び検知部１５を有する。吸収放出部１２は、容器１１の内部に設置される。電源１３及び制御部１４は、容器１１の内部に設置されてもよいし、容器１１の外部に設置されてもよい。また、後に説明するように、吸収放出部１２は加熱される場合がある。その場合、容器１１は、耐熱性の金属、セラミックス、ガラス等であってよい。
【００２１】
吸収放出部１２は、二酸化炭素の吸収及び放出が可能な吸収放出材料を含む。吸収放出材料は、空気中の二酸化炭素を吸収し、吸収した二酸化炭素を放出することができる。このため、本実施形態の吸収放出部１２によれば、反応物質の補充を行うことなく二酸化炭素を放出することが可能となる。
【００２２】
[吸収放出材料]
ここで、吸収放出材料について説明する。例えば、吸収放出材料は、リチウムシリケートである（参考文献：特開２００９−２９１７７０号公報、二酸化炭素を吸収する新セラミックス材料（ＵＲＬ：https://www.toshiba.co.jp/tech/review/2001/08/56_08pdf/a04.pdf））。
【００２３】
リチウムシリケートは、金属複合酸化物であり、化学式ではＬｉ４ＳｉＯ４と表される。リチウムシリケートは、式（１）に示すように、ＣＯ２（二酸化炭素）と反応し、Ｌｉ２ＳｉＯ３及びＬｉ２ＣＯ３を生成する。
Ｌｉ４ＳｉＯ４  ＋  ＣＯ２  →  Ｌｉ２ＳｉＯ３  ＋  Ｌｉ２ＣＯ３      ・・・（１）
【００２４】
一方、Ｌｉ２ＳｉＯ３及びＬｉ２ＣＯ３は、式（２）に示すように、式（１）と逆向きの反応を起こし、Ｌｉ４ＳｉＯ４及びＣＯ２を生成する。
Ｌｉ２ＳｉＯ３  ＋  Ｌｉ２ＣＯ３  →  Ｌｉ４ＳｉＯ４  ＋  ＣＯ２      ・・・（２）
【００２５】
以降の説明では、式（１）の反応を吸収反応と呼ぶ場合がある。また、式（２）の反応を放出反応と呼ぶ場合がある。また、吸収反応は吸熱反応である。また、放出反応は放熱反応である。
【００２６】
吸収放出材料がリチウムシリケートである場合、吸収反応が進むと固体のＬｉ２ＳｉＯ３及びＬｉ２ＣＯ３が生成される。つまり、吸収放出材料が、Ｌｉ４ＳｉＯ４、Ｌｉ２ＳｉＯ３及びＬｉ２ＣＯ３のそれぞれを含有する割合は、反応の状況によって変化する。
【００２７】
また、吸収放出材料の温度が常温から一定温度の範囲にある場合、放出反応に比べて吸収反応の方が発生しやすい。一方、吸収放出材料の温度が一定温度以上である場合、吸収反応に比べて放出反応の方が発生しやすい。例えば、一定温度は７００℃程度の温度である。
【００２８】
このため、吸収放出材料の温度を一定温度以上又は一定温度以下に制御することで、ＣＯ２の吸収及び放出を制御することができる。また、吸収放出材料は、リチウムシリケートと同様の性質を持つ他の金属複合酸化物（Ｌｉ２ＺｒＯ３、Ｌｉ４ＴｉＯ４等）であってもよい。
【００２９】
本実施形態では、吸収放出部１２は、金属の層と金属酸化物の層と吸収放出材料の層とから形成された導線を用いたコイルを有する。これにより、コイルに電流を流すことで、吸収放出材料を含んだコイル自体が加熱されるため、吸収反応及び放出反応を制御することが可能となる。
【００３０】
図２は、実施形態に係るコイルの一例を示す図である。図２に示すように、コイルは、金属の層１２１、金属酸化物の層１２２及び吸収放出材料の層１２３を有する。金属の層１２１はＳｉである。また、金属酸化物の層１２２はＳｉＯ２である。また、吸収放出材料の層１２３はＬｉ４ＳｉＯ４である。
【００３１】
制御部１４は、コイルに電流を流すことで吸収放出部１２を加熱する。例えば、制御部１４は、所定の信号に応じて回路の開閉を行うスイッチであってよい。また、制御部１４は、吸収放出材の温度を取得し、温度が下限値以下になった場合は加熱を行い、上限値以上になった場合は加熱を中止する。例えば、制御部１４は、吸収放出材の温度が７５０℃以下になった場合は加熱を開始し、８００℃以上になった場合は加熱を中止する。
【００３２】
制御部１４は、予め設定された時間に従って、吸収放出部１２に二酸化炭素を吸収させ、又は放出させる。例えば、制御部１４は、蚊が多く出現する夕方の時間帯に、吸収放出部１２に二酸化炭素を放出させ、夕方以外の時間帯に吸収放出部１２に二酸化炭素を吸収させることができる。また、制御部１４は、吸収放出部１２に、一定時間二酸化炭素を放出させた後放出を中止させ、さらに一定時間が経過した後に放出を再開させてもよい。
【００３３】
また、制御部１４は、予め設定された放出可能基準値に従って、吸収放出部１２に二酸化炭素を吸収させ、又は放出させる。ここで、例えば、吸収放出部１２が吸収可能な二酸化炭素の上限量は、事前の実験又は吸収放出材の大きさや形状に基づく計算によって把握することができる。
【００３４】
また、制御部１４は、吸収放出材料が吸収している二酸化炭素の量が、予め設定した下限値を下回らないように、かつ、予め設定した上限値を超えないように、吸収放出部１２に二酸化炭素を吸収させ、又は放出させることができる。具体的には、制御部１４は、吸収放出部１２に、吸収している二酸化炭素の量が吸収可能な最大量の一定割合に達するまで二酸化炭素を吸収させる。そして、制御部１４は、吸収放出部１２に、吸収している二酸化炭素の量が予め設定された所定量に達するまで二酸化炭素を放出させる。
【００３５】
上限値及び下限値は、それぞれ最大量の８０％及び２０％のように設定されてもよい。また、上限値及び下限値は、それぞれ最大量の１００％及び０％であってもよい。この場合、制御部１４は、吸収放出部１２に、二酸化炭素を最大量まで吸収させ、また、吸収している二酸化炭素がなくなるまで放出させる。
【００３６】
なお、制御部１４は、加熱を行わないことで吸収放出部１２に二酸化炭素を吸収させることができる。また、制御部１４は、吸収放出材料の温度が５００℃程度になるように制御することで、常温の場合と比べて二酸化炭素の吸収が速くなる。
【００３７】
検知部１５は、所定の領域に人が存在することを検知する。制御部１４は、検知部１５によって人が存在することが検知された場合、吸収放出部１２に二酸化炭素の放出を開始させることができる。例えば、検知部１５は、赤外線を用いた人感センサである。検知部１５は、人が存在していることを感知した場合、所定の信号を制御部１４に送信する。
【００３８】
また、吸収放出部１２は、加えられた熱の一部を放出する。これにより、蚊の誘引効果をさらに高めるだけでなく、熱で蚊を駆除することが可能となる。また、害虫誘引装置１０は、吸収放出部１２が放出する熱を利用して、蚊を誘引する匂いを発生させてもよい。
【００３９】
［処理のフロー］
次に、害虫誘引装置１０の処理の流れについて説明する。図３は、実施形態に係る害虫誘引装置の処理手順を示すフローチャートである。
【００４０】
まず、図３に示すように、検知部１５が周囲に人が存在することを検知した場合（ステップＳ１１、Ｙｅｓ）であって、吸収放出材の温度が閾値以下である場合（ステップＳ１２、Ｙｅｓ）、害虫誘引装置１０は吸収放出材を加熱する（ステップＳ１３）。
【００４１】
また、検知部１５が周囲に人が存在することを検知していない場合（ステップＳ１１、Ｎｏ）、又は吸収放出材の温度が閾値以下でない場合（ステップＳ１２、Ｎｏ）、害虫誘引装置１０は、吸収放出材を加熱中であれば（ステップＳ１４、Ｙｅｓ）、加熱を中止する（ステップＳ１５）。また、このとき、害虫誘引装置１０は、吸収放出材を加熱中でなければ（ステップＳ１４、Ｎｏ）、処理を終了する。
【００４２】
これまで説明したように、本実施形態において、害虫誘引装置１０は、吸収放出材を使って二酸化炭素の吸収及び放出を行うことができる。このため、本実施形態によれば、反応物質の補充が不要になり、効率良く二酸化炭素を発生させ、蚊を誘引することができる。
【００４３】
また、二酸化炭素を感知して向かって行く害虫としては、蚊だけでなく、トコジラミやハエが知られている。本実施形態によれば、蚊だけでなく、トコジラミやハエを誘引することができる。
【００４４】
また、蚊の種類によって、吸血の対象となる動物の種類が異なることが知られている。そのため、誘引対象の蚊の種類に応じて、吸収放出材の量や加熱の温度を調節することで、所望する種類の蚊を誘引することができる。
【００４５】
また、害虫誘引装置１０は、誘引した蚊を熱や電撃で駆除する機能を備えていてもよい。さらに、害虫誘引装置１０は、誘引した蚊の画像を取得する機能を備えていてもよい。この場合、取得された蚊の画像は、蚊の種類ごとの発生数調査等に用いられる。
【００４６】
［その他の実施形態］
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【００４７】
例えば、害虫誘引装置１０は、複数の吸収放出部１２を有していてもよい。このとき、害虫誘引装置１０は、複数の吸収放出部１２のうちのいずれかが二酸化炭素の放出限界となった場合に、他の吸収放出部１２に二酸化炭素の放出を開始させることができる。これにより、害虫誘引装置１０は、さらに長時間の二酸化炭素の放出が可能となる。
【００４８】
また、この場合、制御部１４は、電源１３と接続される吸収放出部１２を切り替えるスイッチを用いて切り替え制御を行うものであってもよい。また、例えば、制御部１４は、吸収放出部１２のうち二酸化炭素の吸収量が最大のものを優先して二酸化炭素を放出させるといったルールに従って制御を行うことで、より効率的に二酸化炭素の吸収及び放出を行うことができる。
【００４９】
例えば、上記の実施形態では、吸収放出材から形成された導線を用いたコイルを用いて、加熱機能と二酸化炭素の吸収放出機能が一体となった害虫誘引装置１０の例を説明した。一方で、図４に示すように、本発明においては、加熱機能と二酸化炭素の吸収放出機能は別々の部材によって実現されてもよい。図４は、他の実施形態に係る害虫誘引装置の構成例を示す図である。
【００５０】
図４に示すように、害虫誘引装置１０ａは、容器１１ａ、吸収放出材１２ａ、電源１３ａ、制御部１４ａ、検知部１５ａ及び加熱部１６ａを有する。容器１１ａ、電源１３ａ、制御部１４ａ及び検知部１５ａは、それぞれ容器１１、電源１３、制御部１４及び検知部１５と同様の機能を有する。
【００５１】
吸収放出材１２ａは、例えばリチウムシリケートの粉末である。また、例えば、加熱部１６ａは、コイルである。この場合、制御部１４ａは、加熱部１６ａに電流を流すことで熱を発生させ、吸収放出材１２ａを加熱する。
【００５２】
また、本発明の吸収放出材は、リチウムシリケートに限られない。例えば、本発明の吸収放出材は、アミン化合物水溶液、ゼオライト、水酸化リチウム、固体担持型アミン化合物、ＺＩＦ（ゼオライト型物質）スラリー、セリウム酸化物多孔質吸着体、ジアリールエテン、亜鉛系有機金属構造体等であってよい。
【符号の説明】
【００５３】
１０  害虫誘引装置
１１  容器
１２  吸収放出部
１３  電源
１４  制御部
１５  検知部
【図１】
2019110808.tif 000003
【図２】
2019110808.tif 000004
【図３】
2019110808.tif 000005
【図４】
2019110808.tif 000006